(57)【要約】【課題】一方の筐体内部に収容する各種の電子部品の配線、組付け作業が容易であって、しかも、これら各種の電子部品の補修や点検を行うことが容易で、さらに薄型化に好適な折畳式携帯電子機器を提供する。【解決手段】第１ＬＣＤ４１及び第２ＬＣＤ４２を含む各種電子部品７Ａ、７Ｂ、７Ｃ、８を収容した上側筐体１と、バッテリ及び制御部を実装する主基板を収容した下側筐体と、これらの筐体を回動自在に連結したヒンジ部と、上側筐体１内部に設けたユニット基板５と、上側筐体１内部において各ホルダを介して各種電子部品７Ａ、７Ｂ、７Ｃ、８を着脱可能に取り付けユニット基板５に積層状態で保持させる実装部６Ａと、実装部６Ａから引出されヒンジ部内部を介して下側筐体内部においてバッテリと接続される接続部６Ｂとを有するフレキシブル基板６とを備えた構成となっている。【選択図】  図２
2004159173.tif 000002
【特許請求の範囲】
【請求項１】
液晶表示器を含む各種電子部品を収容した一方の筐体と、前記液晶表示器を含む前記各種電子部品への給電を行うためのバッテリと前記各種電子部品を制御する制御部を実装するための主基板とを収容した他方の筐体と、前記各筐体を回動自在に連結したヒンジ部とを備えた折畳式携帯電子機器であって、
液晶ホルダを介して前記液晶表示器を固定して保持するために前記一方の筐体内部に設けたユニット基板と、
前記一方の筐体内部において前記各種電子部品を各ホルダを介して着脱可能に取り付け前記ユニット基板に積層状態で保持させる実装部と、前記液晶表示器を含む前記各種電子部品と少なくとも前記バッテリ又は前記制御部との間をそれぞれ電気的に接続するために前記一方の筐体内部の前記実装部から引出され前記ヒンジ部内部を介して前記他方の筐体内部に亙って設けられ前記バッテリ又は前記制御部と接続される接続部とを有するフレキシブル基板と
を備えたことを特徴とする折畳式携帯電子機器。
【請求項２】
前記各電子部品は、全て、前記ユニット基板の一方面側から前記各ホルダを介して止め付けるように構成したことを特徴とする請求項１に記載の折畳式携帯電子機器。
【請求項３】
前記フレキシブル基板には、前記液晶表示器を囲設して前記ユニット基板に積層する略ロ字型の領域を備えたことを特徴とする請求項１又は２に記載の折畳式携帯電子機器。
【請求項４】
前記液晶ホルダには、前記一方の筐体の両面にそれぞれ臨む液晶表示器を設けてあることを特徴とする請求項１乃至３のいずれか１項に記載の折畳式携帯電子機器。
【請求項５】
前記電子部品には、少なくとも、前記一方の筐体の両面に設けるカメラと、前記一方の筐体の一面に設けるレシーバとを含むことを特徴とする請求項１乃至４のいずれか１項に記載の折畳式携帯電子機器。
【発明の詳細な説明】
【０００１】
【発明の属する技術分野】
本発明は、折畳式携帯電子機器の内部に設けた基板上に、少なくともカメラやレシーバなどの電子部品を一体に止め付けてユニット（モジュール）化することができる折畳式携帯電子機器に関するものである。
【０００２】
【従来の技術】
携帯電話機にあっては、筐体部分が、棒状（ストレート状）のタイプのほかに、折畳みタイプのものが多数開発され使用されている。
また、この携帯電話機にあっては、近年、各種様々な機能が付与されてきており、例えばこの折畳みタイプの携帯電話機では、液晶表示器を設けた上側筐体の部分に、この液晶表示器のほかに、カメラなどを備えたものも多数提案され、開発されている。
【０００３】
さらに、このような携帯電話機にあっては、液晶表示器を上側筐体の内面ばかりか外面にも設けたり、ＣＣＤカメラなどを内面及び外面にそれぞれ別個に設けたものも開発されている。
【０００４】
このような事情から、上側筐体内部に備えた各種の電子部品と下側筐体に備えたバッテリ、制御基板などとの間には、これらの各種電子部品への給電及び信号送受信を行うために、多数本の配線を必要としている。
【０００５】
そこで、通常、折畳式の携帯電話機にあっては、上側筐体と下側筐体とを回動自在に連結するヒンジ部の内部を通してフレキシブル基板（以下、ＦＰＣ基板とよぶ）を設け、このＦＰＣ基板を介してこれら上側筐体内部の電子部品と下側筐体に備えたバッテリや主基板側に実装の制御部などとの間を電気的に接続することにより、これらの電子部品への給電及び信号送受信を行うように構成されている（例えば、特許文献１参照。）。
【０００６】
【特許文献１】
特開平８−３２１３７０号公報（第３頁右欄下段  図５、図６）
【０００７】
【発明が解決しようとする課題】
しかしながら、近年、このような携帯電話機にあっては、前述したような多機能化により、上側筐体内部の電子部品の装備数も増大し、これに伴ってこれらの多数の電子部品と下側筐体に備えたバッテリや主基板側に実装の制御部などとの間の電気的接続用の配線本数も増えているので、この配線作業が煩雑で厄介なものとなっている。
【０００８】
また、このような折畳式の携帯電話機にあっては、内部の電子部品などに故障が発したり点検するような場合、前述したように、上側筐体内部の電子部品の装備数が増大すると、補修・点検を行うことが面倒で難しくなる。
【０００９】
しかも、上側筐体内部の電子部品の装備数が増大すると、これら電子部品の組付け作業の工数も増え、その結果、組付け作業時間が増大するようになるため、これら多数の電子部品の効率的な組付けを行うことができる手段の開発が要請されている。
【００１０】
そこで、この発明は、上記した事情に鑑み、一方の筐体内部に収容する各種の電子部品の配線、組付け作業が容易であって、しかも、これら各種の電子部品の補修や点検をおこなうことが容易で、しかも薄型化に好適な折畳式携帯電子機器を提供することを目的とするものである。
【００１１】
【課題を解決するための手段】
本発明の折畳式携帯電子機器は、液晶表示器を含む各種電子部品を収容した一方の筐体と、前記液晶表示器を含む前記各種電子部品への給電を行うためのバッテリと前記各種電子部品を制御する制御部を実装するための主基板とを収容した他方の筐体と、前記各筐体を回動自在に連結したヒンジ部とを備えた折畳式携帯電子機器であって、
液晶ホルダを介して前記液晶表示器を固定して保持するために前記一方の筐体内部に設けたユニット基板と、
前記一方の筐体内部において前記各種電子部品を各ホルダを介して着脱可能に取り付け前記ユニット基板に積層状態で保持させる実装部と、前記液晶表示器を含む前記各種電子部品と少なくとも前記バッテリ又は前記制御部との間をそれぞれ電気的に接続するために前記一方の筐体内部の前記実装部から引出され前記ヒンジ部内部を介して前記他方の筐体内部に亙って設けられ前記バッテリ又は前記制御部と接続される接続部とを有するフレキシブル基板と
を備えたことを特徴としている。
【００１２】
これにより、一方の筐体内部に収容する液晶表示器及び各種の電子部品の配線、組付け作業が容易であって、しかも、これら各種の電子部品の補修や点検を行うことが容易で、その上、薄型化が可能となる。
【００１３】
また、本発明の折畳式携帯電子機器は、前記各電子部品が、全て、前記ユニット基板の一方面側から前記各ホルダを介して止め付けるように構成したことを特徴としている。
【００１４】
これにより、液晶表示器及び全ての電子部品をユニット基板に取付ける作業において、ユニット基板を反転させる作業を伴わないので、この取り付け作業を容易に行うことができるとともに、この取り付け作業の自動化が容易に実現可能となる。
【００１５】
また、本発明の折畳式携帯電子機器は、前記フレキシブル基板が、前記液晶表示器を囲設して前記ユニット基板に積層する略ロ字型の領域を備えたことを特徴としている。
【００１６】
これにより、フレキシブル基板を最小限の設置スペースで積層状態に配設することができ、しかも、そのフレキシブル基板を安定した積層状態で止め付けることができる。
【００１７】
また、本発明の折畳式携帯電子機器は、前記液晶ホルダに、前記一方の筐体の両面にそれぞれ臨む液晶表示器が設けてあることを特徴としている。
【００１８】
これにより、液晶表示器をユニット基板の両面上に実装している場合であっても、同様に、一方の筐体内部に収容する各種の電子部品の配線、組付け作業が容易であって、しかも、故障や点検を行うことが容易で、その上、薄型化が可能となる。
さらに、全ての電子部品をユニット基板に取付けてユニット化させる作業において、同様に、ユニット基板を反転させるといった面倒な作業を伴うことがない。
【００１９】
また、本発明の折畳式携帯電子機器は、前記電子部品に、少なくとも、前記一方の筐体の両面に設けるカメラと、前記一方の筐体の一面に設けるレシーバとを含むことを特徴としている。
【００２０】
これにより、少なくとも、一方の筐体の両面に設けるカメラと一方の筐体の一面に設けるレシーバとを含む電子部品をユニット基板に取付けてユニット化させる作業において、同様に、一方の筐体内部に収容する各種の電子部品の配線、組付け作業が容易であって、しかも、故障や点検を行うことが容易で、その上、薄型化が可能となる。
さらに、全ての電子部品をユニット基板に取付けてユニット化させる作業において、同様に、ユニット基板を反転させるといった面倒な作業を伴うことがない。
【００２１】
【発明の実施の形態】
以下、この発明に係る実施の形態について、添付図面を参照しながら詳細に説明する。
図１は、この発明の一実施の形態に係る折畳式携帯電話機を示すものであり、この折畳式携帯電話機は、液晶表示器（以下、ＬＣＤとよぶ）４を含む各種電子部品などを収容した上側筐体１と、各種電子部品への給電を行うためのバッテリ及び主基板（ともに図示せず）などを収容した下側筐体２と、これらの筐体１，２を回動自在に連結したヒンジ部３とを備えている。
【００２２】
上側筐体１は、図２に示すように、内側ケース１Ａと外側ケース１Ｂとを閉じ合わせるようにして接合させて形成しており、これらのケースで接合された中空状の内部には、前述したＬＣＤ４及び後述する各種電子部品などをユニット基板５に一体にユニット化させたユニット部１０を収容しており、このユニット部１０には、フレキシブル基板（以下、これをＦＰＣ基板とよぶ）６も積層状態に止め付けて設置している。
【００２３】
下側筐体２には、図示外の主基板にＬＣＤ４及び各種電子部品５を制御する図示外の制御部を実装しているとともに、前述のバッテリとしてバッテリパック２１と、操作キー２２と、マイク（送話部）２３など（共に図示せず）とを備えている。
【００２４】
ヒンジ部３は、略中空円筒状を呈しており、この内部には、後述するＦＰＣ基板６の接続部６Ｂ（図２参照）の一部が挿通されている。
【００２５】
本実施の形態のＬＣＤ４は、図３に示すように、上側筐体１の内面に向けて配置した大型のＬＣＤ４１（以下、第１ＬＣＤとよぶ）と、上側筐体１の外面に向けて配置した小型のＬＣＤ４２（以下、第２ＬＣＤとよぶ）とで構成されている。また、この第１ＬＣＤ４１及び第２ＬＣＤ４２は、それぞれ、液晶ホルダ４１Ａ及び液晶ホルダ４２Ａに設けた図示外の係止爪を介してユニット基板５に固定されている。
【００２６】
即ち、第１ＬＣＤ４１は、図３において、ユニット基板５の一面（内面）側の凹所５Ａに嵌合・固定されており、背面側に設けたバックライト導光用の導光板４１Ｂからの光によって照光されるとともに、形成される液晶画像がＬＣＤカバー４１Ｄのカバーガラス４１Ｃを介して内面側から観察できるようになっている。なお、このＬＣＤカバー４１Ｄは、内側ケース１Ａに固定されている。
【００２７】
一方、第２ＬＣＤ４２は、ユニット基板５の他面（外面）側の凹所５Ｂに固定されており、バックライト導光用の導光板４２Ｂからの光によって照光されるとともに、形成される液晶画像がＣＬＣＤカバー４２Ｄのカバーガラス４２を介して外面側から観察できるようになっている。なお、このＬＣＤカバー４２Ｄは、外側ケース１Ｂに固定されている。
【００２８】
また、この第１ＬＣＤ４１及び第２ＬＣＤ４２には、図４及び図５に示すように、これらのＬＣＤ駆動用の図示外のドライバ回路及び前述のバッテリ等との接続のために、ＦＰＣ基板６側に設けたコネクタ６１に接続されるＬＣＤコネクタ４３などを備えている。
【００２９】
ユニット基板５は、図３に示すように、内外両面には第１ＬＣＤ４１及び第２ＬＣＤ４２をそれぞれ実装しているとともに、第２ＬＣＤ４２を囲設するような状態でＦＰＣ基板６を係止爪５１（図４参照）によって積層状態で止め付けてある。
【００３０】
ＦＰＣ基板６は、図２に示すように、可撓性を有する適宜の樹脂材料で薄板状に形成されており、大別して、実装部６Ａと、接続部６Ｂとを備えている。
【００３１】
このうち、実装部６Ａは、前述したように、上側筐体１の内部のユニット基板５において第２ＬＣＤ４２を実装させている方の外面、即ち図４に示す上面上でその第２ＬＣＤ４２を囲設するような状態で積層して止め付け保持させるため、中央部分が略ロ字型に形成されており、その周辺部分には適宜の部位に、後述する各ホルダを介して各電子部品を着脱可能に取付けている。
【００３２】
一方、接続部６Ｂは、第１ＬＣＤ４１及び第２ＬＣＤ４２を含む後述する各種電子部品と下側筐体２内部に設けた図示外のバッテリ及び制御部との間をそれぞれ電気的に接続するためのものであり、実装部６Ａから引出されてヒンジ部３内部を通過させるため、中間部分は接続用の線材が複数本配設された細幅帯状に形成されており、この細幅帯状部分から先の終端部分には下側筐体２内部においてバッテリ及び制御部と接続されるためのコネクタ６３などが形成されている。
【００３３】
上側筐体１の電子部品としては、使用者自身などを撮影するために内側ケース１Ａの開口された撮影窓１１及びＬＣＤカバー４１Ｄの撮影窓４１Ｅに向けて配置された内側カメラ７Ａ（図７（Ａ）参照）と、相手側や外部風景などを撮影するために外側ケース１Ｂの開口された撮影窓１２及びＬＣＤカバー４２Ｄの撮影窓４２Ｅに向けて配置された外側カメラ７Ｂ（図７（Ｂ）参照）と、ＬＥＤ７Ｃと、スピーカ（図略）と、レシーバ（受話部）８と、赤外線通信用のＩｒＤＡ９などとを備えている。
【００３４】
このうち、内側カメラ７Ａ及び外側カメラ７Ｂは、図２に示すように、カメラユニット７１に装着されており、カメラホルダ７２を介してフレキシブル基板６に着脱自在に取り付けられている。
また、この内側カメラ７Ａ及び外側カメラ７Ｂには、図４及び図６に示すように、これらの駆動制御部用の図示外の前述した制御部及びバッテリ等との接続のために、ＦＰＣ基板６の中間部側に設けたコネクタ６２に接続されるカメラコネクタ７３などを備えている。
【００３５】
また、ＬＥＤ７Ｃは、着信時などの際に発光動作して外部に知らせるものであり、外側カメラ７Ｂの近傍のカメラユニット７１に一体に固定されており、外側ケース１Ｂの開口された窓１３及びＬＣＤカバー４２Ｄの窓４２Ｆに向けて配置されている。
【００３６】
一方、図示外のスピーカは外側ケース１Ｂに直接固定されているとともに、レシーバ（受話部）８はレシーバホルダ８１を介してフレキシブル基板６に着脱自在に取付けられている。
【００３７】
次に、本実施形態に係る折畳式携帯電話機において、ユニット基板５にフレキシブル基板６及び各種電子部品を装着するときの装着方法について、図８乃至図１５を参照しながら説明する。
（１）初めに、図８に示すように、予め、第１ＬＣＤ４１及び第２ＬＣＤ４２を取付けてあるユニット基板５を用意し、これを適宜の固定手段、例えば図示外の所定の治具などにセットする（第１作業工程）。
（２）次に、図９に示すように、ユニット基板５の一端部（同図においては上部）側に設けた爪５２に、レシーバ用ホルダ８１を止め付ける（第２装着工程）。
（３）そして、図１０に示すように、そのレシーバ用ホルダ８１にレシーバ８を搭載する（第３装着工程）。
【００３８】
（４）次に、図１１に示すように、ユニット基板５の他端部（同図においては下部）側に設けた爪５３に、カメラ用ホルダ７２を止め付ける（第４装着工程）。
（５）そして、図１２に示すように、ユニット基板５の第２ＬＣＤ４２を取り付けてある一面（同図においては上（表）面）にＦＰＣ基板６を搭載し、後述する係止手段や位置決め手段で積層状態に止め付ける（第５装着工程）。即ち、このＦＰＣ基板６は、ユニット基板５の上下左右の４箇所に設けた爪５１により、実装部６Ａを構成する略ロ字型の部分の内縁部を係止させるとともに、ユニット基板５の上下左右の４箇所に立設したピン５４に、これに対応するＦＰＣ基板６の上下左右の４箇所に設けた位置決め孔６４を挿通させて位置決めを行う。
【００３９】
（６）次に、図１３に示すように、レシーバ用ホルダ８１に搭載するレシーバ８の上からロック部材８２を止め付けて固定する（第６装着工程）。このロック部材８２を止め付けることにより、図１３において、ＦＰＣ基板６の上部に突設する略コ字型の突設部６５Ａ裏面に設けた電極６５（図１２参照）がレシーバ８に設けた図示外の電極と接触して導通することができる。
（７）そして、図１４に示すように、ユニット基板５から右方に突出した状態で付設している補助ＦＰＣ基板５Ａを手前側に折り曲げ、この補助ＦＰＣ基板５Ａに取付けてあるコネクタ４３（図１３参照）をＦＰＣ基板６の設けてあるコネクタ６１（図１２参照）と嵌合する（第７装着工程）。
これにより、第１ＬＣＤ４１（図３参照）及び第２ＬＣＤ４２側と、ＦＰＣ基板６との電気的な接続を行うことができる。
【００４０】
（８）次に、図１５に示すように、ＦＰＣ基板６の一部に積層するような状態で、ユニット基板５に取り付けあるカメラ用ホルダ７２（図４参照）に、カメラユニット７１を装着する（第８装着工程）。即ち、このカメラユニット７１は、同図において上部に２箇所開口された位置決め孔７４をユニット基板５に立設してあるピン５４に挿入させるとともに、同図において下部に紙面裏面方向に設けてある内側カメラ７Ａをカメラ用ホルダ７２の輪状の嵌合部７５（図１４参照）に嵌合させることにより、都合３個所で固定させる。
（９）そして、図１６において、ＦＰＣ基板６の左方から突出している突設部６２Ａ（図１５参照）を折り曲げて、この突設部６２Ａに設けたコネクタ６２（図１５参照）をカメラユニット７１に設けているカメラコネクタ７３（図１５参照）と嵌合させ、内側カメラ７Ａ、外側カメラ７Ｂ及びＬＥＤ７Ｃ側と、ＦＰＣ基板６との電気的な接続を行う（第９装着工程）。
【００４１】
（１０）その後、図１６のようにでき上がったユニット部１０において、ＦＰＣ基板６の実装部６Ａを搭載・積層しているユニット基板５側の部分（図１６において上半分）を、上側筐体１内部の所定位置に固定させるとともに、ＦＰＣ基板６の接続部６Ｂ（図１６において上半分）側を図示外のヒンジ部３内部を挿通させて下側筐体２に設けたバッテリ及び制御部と接続させる（第１０装着工程）。
これにより、第１ＬＣＤ４１及び第２ＬＣＤ４２この内側カメラ７Ａと外側カメラ７Ｂ及びＬＥＤ７Ｃとを含む各電子部品は、カメラコネクタ７３及びコネクタ６２を介してバッテリと電気的な導通を図ることができる。
【００４２】
従って、上述したように、本実施形態に係る折畳式携帯電話機におけるユニット基板５にフレキシブル基板６及び各種電子部品を装着する装着方法によれば、ユニット基板５の一方の面上に対して、フレキシブル基板６を積層させるとともに各種電子部品を係止したり積み上げるように構成している。換言すれば、ユニット基板５を反転させることなく、一面のみにフレキシブル基板６及び各種電子部品などを積み上げる構成であるので、各種電子部品の配線作業が容易に行えるようになり、延いては組立て、配線作業の自動化が実現で可能となる。
【００４３】
なお、本実施の形態では、本発明に係る折畳式携帯電子機器を折畳式携帯電話機に適用したが、勿論これに限定されるものではなく、上下方向に或いは左右方向に開いて使用する折畳式の携帯電子機器であればよく、例えば折畳式の電子手帳、電卓、ＰＤＡなど各種のものに適用可能である。
【００４４】
【発明の効果】
以上説明してきたように、この発明では、液晶表示器を含む各種電子部品を収容した一方の筐体と、液晶表示器を含む各種電子部品への給電を行うためのバッテリと各種電子部品を制御する制御部を実装するための主基板とを収容した他方の筐体と、各筐体を回動自在に連結したヒンジ部とを備えた折畳式携帯電子機器であって、液晶ホルダを介して前記液晶表示器を固定して保持するために一方の筐体内部に設けたユニット基板と、一方の筐体内部において各種電子部品を各ホルダを介して着脱可能に取り付けユニット基板に積層状態で保持させる実装部と実装部から引出されヒンジ部内部を介して他方の筐体内部においてバッテリ又は制御部と接続される接続部とを有するフレキシブル基板とを備えた構成となっている。
【００４５】
従って、本発明によれば、一方の筐体内部に収容する各種の電子部品の配線、組付け作業が容易であって、しかも、これら各種の電子部品の補修や点検を行うことが容易で、さらに薄型化に好適な折畳式携帯電子機器を提供することができる。
【図面の簡単な説明】
【図１】本発明に係る折畳式携帯電話機の外観を示すものであり、（Ａ）は筐体を開いた状態を示す平面図、（Ｂ）は筐体を開いた状態を示す平面図、（Ｃ）は（Ａ）の側面図である。
【図２】本発明に係る折畳式携帯電話機の主に上側筐体に内部に収容するユニット基板５にフレキシブル基板及び各種電子部品などを分解斜視図である。
【図３】本発明に係る折畳式携帯電話機の上側筐体の概略断面図である。
【図４】（Ａ）は本発明に係る折畳式携帯電話機のユニット基板にフレキシブル基板等を取り付けた状態を示す概略斜視図、（Ｂ）は（Ａ）に示すユニット基板にフレキシブル基板を取付ける爪部分を示す要部拡大斜視図である。
【図５】本発明に係る折畳式携帯電話機のＬＣＤコネクタとフレキシブル基板側との接続状態を示す要部拡大断面図である。
【図６】本発明に係る折畳式携帯電話機のカメラコネクタとフレキシブル基板側との接続状態を示す要部拡大断面図である。
【図７】（Ａ）は本発明に係る折畳式携帯電話機の外側カメラの設置状態を示す要部拡大断面図、（Ｂ）は本発明に係る折畳式携帯電話機の内側カメラの設置状態を示す要部拡大断面図である。
【図８】本発明に係る折畳式携帯電話機において、ユニット基板にフレキシブル基板及び各種電子部品を装着するときの装着方法を示すものであり、特に第１装着工程を示す説明図である。
【図９】同様に、本発明に係る折畳式携帯電話機において、第２装着工程を示す説明図である。
【図１０】同様に、本発明に係る折畳式携帯電話機において、第３装着工程を示す説明図である。
【図１１】同様に、本発明に係る折畳式携帯電話機において、第４装着工程を示す説明図である。
【図１２】同様に、本発明に係る折畳式携帯電話機において、第５装着工程を示す説明図である。
【図１３】同様に、本発明に係る折畳式携帯電話機において、第６装着工程を示す説明図である。
【図１４】同様に、本発明に係る折畳式携帯電話機において、第７装着工程を示す説明図である。
【図１５】同様に、本発明に係る折畳式携帯電話機において、第８装着工程を示す説明図である。
【図１６】同様に、本発明に係る折畳式携帯電話機において、第９装着工程を示す説明図である。
【符号の説明】
１      上側筐体
１Ａ    内側ケース
１Ｂ    外側ケース
１０    ユニット部
１１    撮影窓
１２    撮影窓
２      下側筐体
２１    バッテリ
２２    操作キー
２３    マイク
３      ヒンジ部
４      ＬＣＤ（液晶表示器）（電子部品）
４１    大型のＬＣＤ（第１ＬＣＤ）
４１Ａ  液晶ホルダ
４１Ｂ  導光板
４１Ｃ  カバーガラス
４１Ｄ  ＬＣＤカバー
４１Ｅ  撮影窓
４２    小型ＬＣＤ（第２ＬＣＤ）
４２Ａ  液晶ホルダ
４２Ｂ  導光板
４２Ｃ  カバーガラス
４２Ｄ  ＬＣＤカバー
４２Ｅ  撮影窓
４３    ＬＣＤコネクタ
５      ユニット基板
５Ａ    凹所
５Ｂ    凹所
５２    爪
５４    ピン
６      フレキシブル基板（ＦＰＣ基板）
６Ａ    実装部
６Ｂ    接続部
６１    コネクタ
６４    位置決め孔
７Ａ    内側カメラ（電子部品）
７Ｂ    外側カメラ（電子部品）
７Ｃ    ＬＥＤ（電子部品）
７１    カメラユニット
７２    カメラホルダ
７３    カメラコネクタ
７４    位置決め孔
７５    嵌合部
８      レシーバ（受話部）（電子部品）
８１    レシーバ用ホルダ
９      （赤外線通信用）ＩｒＤＡ（電子部品）
【図１】
2004159173.tif 000003
【図２】
2004159173.tif 000004
【図３】
2004159173.tif 000005
【図４】
2004159173.tif 000006
【図５】
2004159173.tif 000007
【図６】
2004159173.tif 000008
【図７】
2004159173.tif 000009
【図８】
2004159173.tif 000010
【図９】
2004159173.tif 000011
【図１０】
2004159173.tif 000012
【図１１】
2004159173.tif 000013
【図１２】
2004159173.tif 000014
【図１３】
2004159173.tif 000015
【図１４】
2004159173.tif 000016
【図１５】
2004159173.tif 000017
【図１６】
2004159173.tif 000018